(57)【特許請求の範囲】
【請求項１】
什器に設けられたパネル体に対して棚板を取り付ける棚板取付構造であって、
前記パネル体は、平面視してその延在する方向に向けて延び、且つ該延在方向に直交する方向に間隔を隔てて設けられた一対の顎部を有し、
前記棚板は、その下面に前記パネル体の上面と当接可能とする当接部と、上下方向に形成された挿通孔とを有し、
前記当接部を前記パネル体の上面に当接させた状態において、前記顎部の下面と当接可能な顎係合部と、該顎係合部に連設されて上方に延出し、さらに前記パネル体の上面に沿って延出する延出部とを有するとともに、該延出部に上下方向のネジ孔が形成された取付具を備え、
前記棚板の上方から前記挿通孔を通して前記ネジ孔に螺着可能とされ、その螺合緊締により前記パネル体に対して前記棚板を取り付けることを特徴とする棚板取付構造。
【請求項２】
請求項１に記載の棚板取付構造において、
前記取付具は、
前記顎部の一方に係合する第一顎係合部と、前記パネル体の上面に沿って一方向に延出する第一延出部とを有する第一取付部材と、
前記顎部の他方に係合する第二顎係合部と、前記パネル体の上面に沿って前記第一延出部と重なって前記一方向と逆方向に延出する第二延出部とを有する第二取付部材とを備え、
前記第一延出部と前記第二延出部とのうち下位に位置する方に前記ネジ孔が形成されていることを特徴とする棚板取付構造。
【請求項３】
請求項１または請求項２に記載の棚板取付構造において、
前記棚板は、その上面が物品を載置可能とされた物品載置部と、該物品載置部の周縁部から立設された落下防止片とを有することを特徴とする棚板取付構造。
【請求項４】
請求項３に記載の棚板取付構造において、
前記棚板には、配線挿通用の上下方向に向く配線挿通孔または外方に向かって開口する切欠き部が設けられていることを特徴とする棚板取付構造。
【請求項５】
請求項１から請求項４のいずれか一項に記載の棚板取付構造において、
前記当接部が、前記パネル体の延在方向に互いに離間して一対設けられ、該一対の当接部の間に前記取付具が配設されていることを特徴とする棚板取付構造。
【発明の詳細な説明】
【技術分野】
【０００１】
本発明は、棚板取付構造に関するものである。
【背景技術】
【０００２】
従来より、会社や事務所等で使用される執務者用のデスクとしては、床面上に設けられた脚体と、該脚体の上に設けられ作業面として使用される天板と、該天板から立設するとともに隣接する執務者との区画を区切るパネル体とを備えるものが広く用いられている。
【０００３】
上記のようなデスクにおいては、パネル体の上面に電話等の機器を載置するための棚板を設けることがある。これにより、パネル体を挟んで両側の執務者が該機器を共有して使用することができ、デスクとしての使い勝手が向上される。
【０００４】
ここで、棚板をパネル体に取り付ける取付構造としては、パネル体の上面にネジで螺合されたブラケットが設けられ、該ブラケットの上面に棚板を載置するとともにブラケットに設けられた孔部から該ブラケットと棚板とをネジで螺着する構成のものが採用されている（下記特許文献１参照）。
また、一般的に、パネル体の前面（または後面）に穿設されたスリット孔にブラケットを係止させ、該ブラケットに棚板を取り付ける構成が採られる場合がある。
【先行技術文献】
【特許文献】
【０００５】
【特許文献１】特開平５−８６６６６号公報
【発明の概要】
【発明が解決しようとする課題】
【０００６】
しかしながら、上記の特許文献１に記載の構成では、棚板を取り付けることができる位置は、ブラケットがパネル体の上面に螺合された位置に限定されてしまう。また、上記のスリット孔が設けられた構成では、棚板はスリット孔の設けられた位置にしか取り付けることができない。よって、棚板の取付位置の自由度が低く、使い勝手が悪いという問題点があった。
また、棚板が取り付けない場合ではスリット孔が露出してしまうため、体裁が悪いという問題点もあった。
【０００７】
本発明は、上記事情に鑑みてなされたものであり、棚板のパネル体に対する取付位置を任意に選択できるとともに、確実に取り付けることができる棚板取付構造を提供するものである。
【課題を解決するための手段】
【０００８】
上記目的を達成するために、本発明は以下の手段を採用している。
すなわち、本発明に係る棚板取付構造は、什器に設けられたパネル体に対して棚板を取り付ける棚板取付構造であって、前記パネル体は、平面視してその延在する方向に向けて延び、且つ該延在方向に直交する方向に間隔を隔てて設けられた一対の顎部を有し、前記棚板は、その下面に前記パネル体の上面と当接可能とする当接部と、上下方向に形成された挿通孔とを有し、前記当接部を前記パネル体の上面に当接させた状態において、前記顎部の下面と当接可能な顎係合部と、該顎係合部に連設されて上方に延出し、さらに前記パネル体の上面に沿って延出する延出部とを有するとともに、該延出部に上下方向のネジ孔が形成された取付具を備え、前記棚板の上方から前記挿通孔を通して前記ネジ孔に螺着可能とされ、その螺合緊締により前記パネル体に対して前記棚板を取り付けることを特徴とする。
【０００９】
このような棚板取付構造では、パネル体の上面に載置された棚板の当接部がパネル体と当接した状態で、該棚板が取付具に螺合緊締されると、当接部がパネル体の上面を押圧する。また、当該状態で、取付具の顎係合部がパネル体の顎部に係合されているため、顎係合部が顎部を押圧する。よって、螺合緊締及び当接部と顎係合部とによるパネル体の挟持により、棚板をパネル体に対して確実に取り付けることができる。
また、一対の顎部はパネル体の延在する方向に設けられているため、該延在する方向にわたって棚板をパネル体に取り付けることができる。よって、棚板をパネル体の延在方向のうち任意の位置に取り付けることができ、使い勝手を良好とすることができる。
【００１０】
また、本発明に係る棚板取付構造では、前記取付具は、前記顎部の一方に係合する第一顎係合部と、前記パネル体の上面に沿って一方向に延出する第一延出部とを有する第一取付部材と、前記顎部の他方に係合する第二顎係合部と、前記パネル体の上面に沿って前記第一延出部と重なって前記一方向と逆方向に延出する第二延出部とを有する第二取付部材とを備え、前記第一延出部と前記第二延出部とのうち下位に位置する方に前記ネジ孔が形成されていてもよい。
【００１１】
この構成では、第一延出部及び第二延出部のうち下位に位置する方に設けられたネジ孔により棚板が螺合緊締される。また、第一顎係合部及び第二顎係合部がパネル体の一対の顎部にそれぞれ係合される。よって、当接部と第一顎係合部及び第二顎係合部とでパネル体を挟持するため、棚板をパネル体に対して確実に取り付けることができる。
【００１２】
また、本発明に係る棚板取付構造では、前記棚板は、その上面が物品を載置可能とされた物品載置部と、該物品載置部の周縁部から立設された落下防止片とを有することが好ましい。
【００１３】
この構成によれば、物品載置部に物品を載置した場合において、落下防止片により該物品の落下を防止することができる。
【００１４】
また、本発明に係る棚板取付構造は、前記棚板には、配線挿通用の上下方向に向く配線挿通孔または外方に向かって開口する切欠き部が設けられていてもよい。
【００１５】
この構成では、物品載置部に電気製品を載置した場合において、該電気製品の配線を配線挿通孔または切欠き部を挿通させて垂下することができるため、什器としての使い勝手を良好とすることができる。
【００１６】
また、本発明に係る棚板取付構造は、前記当接部が、前記パネル体の延在方向に互いに離間して一対設けられ、該一対の当接部の間に前記取付具が配設されていることを特徴とする。
【００１７】
この構成では、一対の当接部の間に取付具が配設されているため、取付具の端部を閉塞することができ、外観を良好にすることができ、体裁を良好とすることができる。
【発明の効果】
【００１８】
本発明に係る棚板取付構造によれば、棚板のパネル体に対する取付位置を任意に選択できるとともに、確実に取り付けることができる。
【図面の簡単な説明】
【００１９】
【図１】本発明の一実施形態に係る棚板取付構造を用いたデスク装置の概略全体図である。
【図２】本発明の第一実施形態に係る棚板取付構造の要部の側面図である。
【図３】本発明の第一実施形態に係る棚板取付構造の要部の拡大断面図である。
【図４】本発明の第一実施形態に係る棚板取付構造で取り付けられる棚板の上面図である。
【図５】本発明の第一実施形態に係る棚板取付構造の正面図である。
【図６】本発明の第二実施形態に係る棚板取付構造の拡大断面図である。
【図７】本発明の他の実施形態に係る棚板取付構造の棚板の上面図である。
【発明を実施するための形態】
【００２０】
（第一実施形態）
以下、本発明の一実施形態に係る棚板取付構造を用いたデスク装置について説明する。
図１は、デスク装置２を示している。
図１に示すように、デスク装置２は、脚体１２及び天板１３を有するデスク本体１１（什器）と、天板１３上の空間を区画するパネル体２０と、該パネル体２０の上方に取り付けられた棚板３１とを備えている。ここで、該棚板３１は、パネル体２０に対して本実施形態に係る棚板取付構造１により固定されている。
【００２１】
デスク本体１１は、デスク装置２の幅方向に離間した一対の脚体１２と、該一対の脚体１２の上部間に架設された天板１３と、天板１３の下方に配設された電子機器等を収容する電子機器収容部（不図示。以下同じ。）と、該電子機器収容部の前方を開放・閉塞する扉１４とを有している。
一対の脚体１２は、板状部材であり、天板１３の幅方向両端部を支持している。
天板１３の後部には、電子機器等の配線の取り出しを可能とするカバー部材１５が設けられている。
【００２２】
パネル体２０は、天板１３の上面に取り付けられた板状部材であり、デスク装置２の幅方向に沿って延在する第一パネル体２１と、デスク装置２の奥行き方向に延在する３個の第二パネル体２２とを有している。
第一パネル体２１は、天板１３に取り付けられた第一パネル本体２３と、該第一パネル本体２３の上部に設けられた上部枠２４とを有している。
図２及び図３に示すように、上部枠２４は、第一パネル体２１の上端に固定された底部２５と、該底部２５の中心部より上方に立設された基部２６と、該基部２６の上端に設けられた天部２７とを有している。
底部２５には、断面視してその両端部から立設した立設部２８が設けられている。
天部２７には、断面視してその両端部から垂下した一対の顎部４６Ａ，４６Ｂが設けられている。換言すると、一対の顎部４６Ａ，４６Ｂは、平面視してその延在する方向（図３の図面に直交する方向）に向けて延び、且つ該延在方向に直交する方向（図３の図面の左右方向）に間隔を隔てて設けられている。
なお、第二パネル体２２は、第一パネル体２１と同様の構成であるため、その説明を省略する。
【００２３】
図３から図５に示すように、棚板３１は、その上面が物品を載置可能とされた物品載置部３２と、該物品載置部３２の周縁部に設けられた落下防止片３３と、物品載置部３２の下面から垂下する一対の下向き片３４Ａ，３４Ｂと、後述する棚板取付構造１によりボルト５１が挿通される第一ボルト挿通孔（挿通孔）３５と、上部枠２４を押圧する一対の当接部３６とを有している。なお、棚板３１は、本実施形態では例えば鋼板を加工して形成されている。
物品載置部３２は、平面視して略矩形に形成された板状部材であり、その上面に、図１に示すように電話Ｐや、プリンター、モニター等が載置可能としている。また、図４に示すように、物品載置部３２には、上下方向に向く配線挿通孔３７が間隔を有して２箇所設けられ、上面に載置した電気製品の配線を下方に向けて挿通可能としている。
図５に示すように、落下防止片３３は、物品載置部３２の周縁部から立設され、該物品載置部３２上に載置された物品が落下するのを防止する役割を担っている。
第一ボルト挿通孔３５は、物品載置部３２の略中央に形成された上下方向の挿通孔である。
当接部３６は、図５に示す左右方向に離間して設けられた一対の部材で有り、物品載置部３２の下面から垂下する垂下部３８と、該垂下部３８の下端から内方に向かって延出する当接本体３９とを有している。当接本体３９の下面は、パネル体２０の上部枠２４の天部２７の上面に当接している。
【００２４】
次に、棚板３１をパネル体２０に取り付ける棚板取付構造１について詳細に説明する。
図３に示すように、棚板取付構造１は、一対の取付具４０として第一取付部材４１と第二取付部材４２とを有するとともに、ボルト５１により螺合緊締されている。なお、取付具４０は、本実施形態では例えば鋼板を加工して形成されている。
【００２５】
第一取付部材４１は、上部枠２４の基部２６の側面に沿って配設された第一板状部６１と、該第一板状部６１の上端から略直角に外方に向かって延出する第一顎係合部（顎係合部）７１と、該第一顎係合部７１の端部から上方に向かって延出する第二板状部６２と、該第二板状部６２の上端から上部枠２４の上面に沿って図３に示す右側から左側に延出する第一延出部（延出部）８１と、該第一延出部８１の端部から垂下する第三板状部６３とを有している。
第二板状部６２は、上部枠２４の顎部４６Ａと棚板３１の下向き片３４Ａとの間に、その側面を当接させて配置されている。
第一延出部８１には、その下面にナット８６が設けられ、該ナット（不図示。以下同じ。）と挿通するように上下方向に第二ボルト挿通孔８８が形成されている。
【００２６】
第二取付部材４２は、上部枠２４の基部２６の側面に沿って配設された第四板状部６４と、該第四板状部６４の上端から略直角に外方に向かって延出する第二顎係合部（顎係合部）７２と、該第二顎係合部７２の端部から上方に向かって延出する第五板状部６５と、該第五板状部６５の上端から上部枠２４の上面に沿って図３に示す左側から右側に延出する第二延出部（延出部）８２とを有している。
第五板状部６５は、上部枠２４の顎部４６Ｂと棚板３１の下向き片３４Ｂとの間に、その側面を当接させて配置されている。
第二延出部８２は第一延出部８１の上方に重なって配設されるとともに、該第二延出部８２には第二ボルト挿通孔８８と挿通するように上下方向に第三ボルト挿通孔８９が形成されている。
【００２７】
この状態で、ボルト５１が棚板３１の上方から、棚板３１の第一ボルト挿通孔３５、第二取付部材４２の第三ボルト挿通孔８９、第一取付部材４１の第二ボルト挿通孔８８に挿通され、ナット８６に螺合緊締されている。また、第一顎係合部７１の上面と顎部４６Ａの下面とが当接し、第二顎係合部７２の上面と顎部４６Ｂの下面とが当接することにより、第一顎係合部７１及び第二顎係合部７２は顎部４６Ａ，４６Ｂと係合している。
【００２８】
次に、本実施形態の棚板取付構造１の組み立て手順について説明する。
まず、パネル体２０の上部枠２４の底部２５の図３に示す右側の上面に第一取付部材４１を載置し、第一板状部６１を基部２６の側面に沿わせるように配置する。次に、底部２５の図３に示す左側の上面に第二取付部材４２を載置し、第四板状部６４を基部の側面に沿わせるとともに、第二延出部８２の下面を第一延出部８１の上面に重ねて配設する。この状態で、棚板３１の下向き片３４Ａ，３４Ｂで第二板状部６２及び第三板状部６３を挟持するとともに当接本体３９を天部２７に当接するように、棚板３１をパネル体２０の上部に設置する。そして、棚板３１の上方からボルト５１を、第一ボルト挿通孔３５、第三ボルト挿通孔８９、第二ボルト挿通孔８８に挿通されて、ナット８６と螺合緊締する。
【００２９】
このように構成された棚板取付構造１及びこれを用いたデスク装置２では、棚板３１の当接部３６がパネル体２０の上部枠２４と当接した状態で、該棚板３１が第一取付部材４１及び第二取付部材４２に螺合緊締されると、当接本体３９の下面がパネル体２０の上面を押圧する。また、螺合緊締によりボルト５１が第一取付部材４１及び第二取付部材４２を上方に引き付けることにより、第一顎係合部７１並びに第二顎係合部７２の上面がパネル体２０の一対の顎部４６Ａ，４６Ｂの下面を押圧するように係合している。よって、螺合緊締及び棚板３１の当接本体３９と第一顎係合部７１及び第二顎係合部７２とによるパネル体２０の挟持により、棚板３１をパネル体２０に対して確実に取り付けることができる。
また、第一取付部材４１及び第二取付部材４２と一対の顎部４６Ａ，４６Ｂに係合させて、ボルト５１で棚板３１を第一取付部材４１及び第二取付部材４２に螺合すればよいだけであるため、簡易な作業で棚板３１をパネル体２０に取り付けることができる。       
【００３０】
また、一対の顎部４６Ａ，４６Ｂは、パネル体２０の延在する方向に設けられているため、該延在する方向にわたって棚板３１をパネル体２０に取り付けることができる。よって、棚板３１をパネル体２０の延在方向のうち任意の位置に取り付けることができ、使い勝手を良好とすることができる。
さらに、ボルト５１を緩めれば棚板３１をパネル体２０から取り外すことができるため、執務者の体勢や要望に応じて、取り付け位置の変更にも容易に対応することができる。
【００３１】
また、棚板３１に電気製品等の物品を載置した場合において、棚板３１の周縁部には落下防止片３３が設けられているため、該電気製品の落下を防止することができ、利便性が高い。
さらに、棚板３１の配線挿通孔３７から電気製品の配線を下方に向けて配設することができるため、什器としての使い勝手を良好とすることができる。
また、当接部３６が離間して設けられているため、第一取付部材４１及び第二取付部材４２の端部を該当接部３６で閉塞することができる。よって、外観を良好にすることができ、体裁を良好とすることができる。
【００３２】
（第二実施形態）
以下、本発明の第二実施形態に係る棚板取付構造２０１について、図６を用いて説明する。
この実施形態において、前述した実施形態で用いた部材と共通の部材には同一の符号を付して、その説明を省略する。
【００３３】
図６に示すように、本実施形態では、棚板取付構造２０１は、第一取付部材２４１と第二取付部材２４２とを有するとともに、ボルト２５１により螺合緊締されている。
【００３４】
パネル体２２０には、その上面から下方に向かって形成された一対のパネル開口部２２９Ａ，２２９Ｂと、該パネル開口部２２９Ａ，２２９Ｂに連続して内方に向かって形成された一対の顎部２４６Ａ，２４６Ｂとが形成されている。換言すると、一対の顎部２４６Ａ，２４６Ｂは、平面視してその延在する方向（図６に示す図面に直交する方向）に向けて延び、かつ該延在方向に直交する方向（図６に示す左右方向）に間隔を隔てて設けられている。
【００３５】
棚板２３１は、棚板取付構造２０１によりボルト２５１が挿通される第一ボルト挿通孔２３５（挿通孔）と、パネル体２２０を押圧する当接部２３６とを有している。
第一ボルト挿通孔２３５は、物品載置部２３２の略中央に形成された上下方向の挿通孔である。
当接部２３６は、物品載置部２３２の下面から垂下して形成され、その下面がパネル体２２０の上面に当接している。
【００３６】
第一取付部材２４１は、顎部２４６Ａの下面に配設された第一顎係合部２７１と、該第一顎係合部２７１の端部から上方に向かって延出する第一板状部２６１と、該第一板状部２６１の上端からパネル体２２０の上面に沿って図６に示す右側から左側に延出する第一延出部２８１とを有している。
第一延出部２８１には、上下方向にネジ孔２８８が形成されている。
【００３７】
第二取付部材２４２は、顎部２４６Ｂの下面に配設された第二顎係合部２７２と、該第二顎係合部２７２の端部から上方に向かって延出する第二板状部２６２と、該第二板状部２６２の上端からパネル体２２０の上面に沿って図６に示す左側から右側に延出する第二延出部２８２とを有している。
第二延出部２８２は第一延出部２８１の上方に重なって配設されるとともに、該第二延出部２８２にはネジ孔２８８と挿通するように上下方向に第二ボルト挿通孔２８９が形成されている。
【００３８】
この状態で、棚板２３１の上方から、該棚板２３１の第一ボルト挿通孔２３５、第二取付部材２４２の第二ボルト挿通孔２８９、第一取付部材２４１のネジ孔２８８を挿通してボルト２５１が螺合緊締されているとともに、第一顎係合部２７１の上面と顎部２４６Ａの下面とが当接し、第二顎係合部２７２の上面と顎部２４６Ｂの下面とが当接することにより、第一顎係合部２７１及び第二顎係合部２７２は顎部２４６Ａ，２４６Ｂと係合している。
【００３９】
このように構成された棚板取付構造２０１及びこれを用いたデスク装置では、棚板２３１の当接部２３６がパネル体２２０と当接した状態で、該棚板２３１が第一取付部材２４１及び第二取付部材２４２に螺合緊締されると、当接部２３６の下面がパネル体２２０の上面を押圧する。また、螺合緊締によりボルト２５１が第一取付部材２４１及び第二取付部材２４２を上方に引き付けることにより、第一顎係合部２７１及び第二顎係合部２７２の上面がパネル体２２０の一対の顎部２４６Ａ，２４６Ｂの下面を押圧するように係合している。よって、螺合緊締及び棚板２３１の当接部２３６と第一顎係合部２７１及び第二顎係合部２７２とによるパネル体２２０の挟持により、棚板２３１をパネル体２２０に対して確実に取り付けることができる。
【００４０】
また、上述した実施の形態において示した動作手順、あるいは各構成部材の諸形状や組み合わせ等は一例であって、本発明の主旨から逸脱しない範囲において設計要求等に基づき種々変更可能である。
【００４１】
例えば、棚板３１における配線挿通用の配線挿通孔３７のかわりに、図７に示すように、棚板３１の外方に向かって開口する切欠き部３０を設けることとしてもよい。この場合、配線を棚板３１の外方から切欠き部３０に水平方向に移動させて、該切欠き部３０の内部に配設することができるため、利便性が高く使い勝手を良好とすることができる。
【符号の説明】
【００４２】
１，２０１…棚板取付構造
１１…デスク本体（什器）
２０，２２０…パネル体
４６Ａ，４６Ｂ，２４６Ａ，２４６Ｂ…一対の顎部
３０…切欠き部
３１，２３１…棚板
３２，２３２…物品載置部
３３…落下防止片
３５，２３５…第一ボルト挿通孔（挿通孔）
３６，２３６…当接部
３７…配線挿通孔
４０…取付具
４１，２４１…第一取付部材
４２，２４２…第二取付部材
７１，２７１…第一顎係合部（顎係合部）
７２，２７２…第二顎係合部（顎係合部）
８１，２８１…第一延出部（延出部）
８２，２８２…第二延出部（延出部）
８６…ナット（ネジ孔）
Ｐ…電話
【図１】
0005948041.tif 000002
【図２】
0005948041.tif 000003
【図３】
0005948041.tif 000004
【図４】
0005948041.tif 000005
【図５】
0005948041.tif 000006
【図６】
0005948041.tif 000007
【図７】
0005948041.tif 000008